(57)【要約】【課題】情報化が進展し、多数の人が自らコンテンツを制作する社会において、学術的あるいは専門的に使われている類語辞書と共起辞書の機能とデータを多数の人が利用できるよう装置に適用するとともに、文の原型を自動生成することによって、テキストの作成を容易ならしめるよう、ひとつのきっかけを提供する情報処理装置を提示する。【解決手段】上記課題を解決するために、類語辞書と共起辞書の機能とデータを本装置に組み込むとともに、そのしくみによって利用者が作成しようとする文において核となる名詞を利用者が本装置に入力することで、文の原型が自動生成され、いくつかの候補が利用者に提示される情報処理装置を提供する。【選択図】図１
2008083931.tif 000002
【特許請求の範囲】
【請求項１】
類語辞書と共起辞書を利用して、ユーザーの指定する名詞に対し、格助詞と動詞をシステム的に結びつけることによって、文の原型を自動生成する機能をもつ情報処理装置。
【請求項２】
上記情報処理装置をユーザーが利用した結果として、ユーザーの選択した文原型とユーザーの属性情報を結びつけ、そのデータをマイニングのために役立てる機能をもつ情報処理装置。
【発明の詳細な説明】
【技術分野】
【０００１】
インターネットで、テキスト作成を支援するための情報処理技術。
【背景技術】
【０００２】
自然文を自動生成する装置としては、特願２００５−３０８０１２の描写文生成装置、特願２００５−３６０００４の広告文生成装置、特願２００６−４５１３３の情報処理装置のうち請求項３の基本文生成装置、特願２００６−９０７４１のメール文作成支援装置が提案されている。この四つの装置と本装置である文原型生成装置を統合することによって、利用者に対して文作成を容易ならしめるよう支援する装置が可能となる。
【特許文献１】特願２００５−３０８０１２号
【特許文献２】特願２００５−３６０００４号
【特許文献３】特願２００６−４５１３３号
【特許文献４】特願２００６−９０７４１号
【発明の開示】
【発明が解決しようとする課題】
【０００３】
情報化が進展し、多数の人が自らコンテンツを制作する社会において、学術的あるいは専門的に使われている類語辞書と共起辞書の機能とデータを多数の人が利用できるよう装置に適用するとともに、文の原型を自動生成することによって、テキストの作成を容易ならしめるよう、ひとつのきっかけを提供する情報処理装置を提示する。
【課題を解決するための手段】
【０００４】
上記課題を解決するために、類語辞書と共起辞書の機能とデータを本装置に組み込むとともに、そのしくみによって利用者が作成しようとする文において核となる名詞を利用者が本装置に入力することで、文の原型が自動生成され、いくつかの候補が利用者に提示される情報処理装置を提供する。
【発明の効果】
【０００５】
本装置は日本語文の生成に限らず、類語辞書と共起辞書を有する言語に適用することができる。また、本装置はテキストに限らず、テキストを音声や画像に置き換えることによって、コンテンツ制作を支援するための総合的な情報処理装置としても機能することができる。また、本装置の利用者を消費者ととらえることによって、その利用過程及び成果物をマイニングデータとして、商品開発や広告制作に役立てることもできる。
【発明を実施するための最良の形態】
【０００６】
本装置はインターネットでの利用を前提とするが、情報化の進展によりインターネットに接続できる小型端末が普及することによって、より多くの人が本装置を利用できる。
【実施例】
【０００７】
前提として、本出願文では装置の原理部分を記述するため、図などで提示するデータは抽象的な記号で表現している。また、本装置は日本語のみを対象としていないので、画面や列名などは英語で表記している。なお、プログラム言語はＪａｖａ（登録商標）、データベース管理システムはＭｙＳＱＬ、アプリケーションサーバはＴｏｍｃａｔを使用している。ファイル名として、ｙａｃｈｉｙｏｓ１、ｙａｃｈｉｙｏｓ２、ｙａｃｈｉｙｏｓ３、ｙａｃｈｉｙｏｓ４、ｙａｃｈｉｙｏｓ５はサーブレットを、ｙａｃｈｉｙｏｔ１、ｙａｃｈｉｙｏｔ２、ｙａｃｈｉｙｏｔ３、ｙａｃｈｉｙｏｔ４、ｙａｃｈｉｙｏｔ５はテーブル名を表してる。
【０００８】
ｙａｃｈｉｙｏｓ１。利用者はＩＤと作成しようと思う文において核となる語（名詞）を画面１に入力し、ｙａｃｈｉｙｏｓ２に送る。ただし、本装置をはじめて利用するユーザーは、ｙａｃｈｉｙｏｓ４とｙａｃｈｉｙｏｓ５によってＩＤを取得する。
【０００９】
ｙａｃｈｉｙｏｓ４。利用者は画面２で自身の属性を選択肢から選択する。ここでいう属性は、個人であることが特定される個人情報は含まない。なお、本出願文では、説明を簡単にするため、属性情報として性別のみを利用者に提示するものとする。その場合、利用者が男であれば１を、女であれば２を属性情報として、ｙａｃｈｉｙｏｓ５に送る。
【００１０】
ｙａｃｈｉｙｏｓ５。ｙａｃｈｉｙｏｔ４にすでに登録されているＩＤに１を加えた数字を新しいＩＤとして利用者に付与する。なお、本出願文では、説明を簡単にするため、１０から始まる２桁の数字をＩＤとして利用する。ｙａｃｈｉｙｏｓ４から送られてくる属性情報と利用者に付与したＩＤとを結びつける形でｙａｃｈｉｙｏｔ４に登録する。画面３に、このＩＤを表示させ、利用者は作成しようと思う文において核となる語（名詞）を画面３に入力し、そのデータをｙａｃｈｉｙｏｓ２に送る。
【００１１】
ｙａｃｈｉｙｏｓ２。画面１または画面３で入力した、利用者が作成しようと思う文において核となる語（名詞）をｙａｃｈｉｙｏｔ１の類語辞書によって基本語に変換する。利用者の入力した語に意味的に近い語群において、もっともよく使われる語を本装置では基本語と定義する。この基本語（名詞）に格助詞を接続した文節と意味においてつながる動詞をｙａｃｈｉｙｏｔ２から取得する。その際、意味の通じない場合を０、意味の通じる場合を１以上の整数とする。この数値を本装置では結びつき係数と定義するが、結びつきの根拠を共起辞書とし、意味の通じる係数の初期値を１とする。この係数は、後述するｙａｃｈｉｙｏｓ３において、利用者の選択に応じて１ずつ加算されるしくみをもつ。したがって、この係数は利用者の判断傾向を表す数値としてとらえることもできることから、マイニングのデータとすることも可能である。なお、本装置では、動詞についても基本語に限定し、また、格助詞について言えば、本出願文では、説明を簡単にするため、九つある格助詞のうちのひとつをｊ０としてｙａｃｈｉｙｏｔ２に登録する。画面４には利用者の入力した名詞と格助詞と動詞の組み合わせのいくつかが文原型候補として表示される。利用者の望む文原型が表示され、これを利用者が選択した場合はｙａｃｈｉｙｏｓ３に移行し、そうでない場合は、ｙａｃｈｉｙｏｓ２のはじめに戻り、別の文原型候補を表示させる。
【００１２】
ｙａｃｈｉｙｏｓ３。ｙａｃｈｉｙｏｓ２から送られる利用者のＩＤと利用者が選択した文原型に関する情報をｙａｃｈｉｙｏｔ３に登録するとともに、基本語としての名詞と格助詞、動詞（基本語）の組み合わせに関する結びつき係数に１を加算する。なお、画面５にはＩＤのみを表示させ、利用者が作成しようと思う文において核となる語（名詞）を入力する欄は空白にするので、利用者は別の名詞を入力することによって、ｙａｃｈｉｙｏｓ２に移行し、別の名詞に対する文原型候補を取得することができる。
【００１３】
先述した結びつき係数に着目し、ｙａｃｈｉｙｏｔ３、ｙａｃｈｉｙｏｔ４、ｙａｃｈｉｙｏｔ５に関係をもたせることによって、マイニングのためのデータ分析が可能である。
【産業上の利用可能性】
【００１４】
本装置は、利用者がテキストを作成するに際して、ひとつのきっかけを提供することを主目的とするが、広告文の制作においてもそれは有効であると考える。また、本装置利用の派生として、利用者が本装置を利用する過程とその成果物は、産業的にはマイニングのためのデータともなりうるし、学術的にはパースとして提供することも可能と考える。なお、本装置の運用初期の段階では、リレーショナルデータベースを使用するが、データ分析の精度をあげるためには、ＸＭＬに対応できるデータベースへの移行が必要になる。
【００１５】
本装置は、類語辞書および共起辞書のデータと機能を多数の人が利用できるようにすることが主目的であるが、生成する文原型は、必ずしも日本語に限定されないと考える。また、本装置のしくみを応用し、オントロジーのもと、テキストではないデータを扱うことによって、多数の人がコンテンツを作成し、提供する情報化社会において、有効な支援ツールともなりうる。
【００１６】
本装置のビジネスモデルとして、三つ考えられる。ひとつは、語群をひとつの単位とした広告の掲載料金。ひとつは、本装置の利用は原則として無料とするが、成果物としてのデータと本装置の利用過程を公開されたくない利用者からの本装置利用料金。ひとつは、本装置の利用過程と成果物をマイニングのためのデータとして活用する場合の使用料。
【図面の簡単な説明】
【００１７】
【図１】文原型生成装置のフロー図
【図２】画面一覧
【図３】テーブル一覧
【図４】変数一覧
【図５】ｙａｃｈｉｙｏｓ１のプログラムコード
【図６】ｙａｃｈｉｙｏｓ２のプログラムコード
【図７】ｙａｃｈｉｙｏｓ３のプログラムコード
【図８】ｙａｃｈｉｙｏｓ４のプログラムコード
【図９】ｙａｃｈｉｙｏｓ５のプログラムコード
【図１】
2008083931.tif 000003
【図２】
2008083931.tif 000004
【図３】
2008083931.tif 000005
【図４】
2008083931.tif 000006
【図５】
2008083931.tif 000007
【図６】
2008083931.tif 000008
【図７】
2008083931.tif 000009
【図８】
2008083931.tif 000010
【図９】
2008083931.tif 000011